【手続補正書】
【提出日】平成16年9月21日(2004.9.21)
【手続補正１】
【補正対象書類名】明細書
【補正対象項目名】特許請求の範囲
【補正方法】変更
【補正の内容】
【特許請求の範囲】
【請求項１】
エアバッグ組立体内で用いるインフレータを組み立てるインフレータ組立方法であって、（ａ）充填ポートを有する貯蔵容器であって前記充填ポートが該貯蔵容器の底部から上方へ距離Ｄの位置に位置している貯蔵容器を提供する貯蔵容器提供工程と、（ｂ）前記貯蔵容器内に前記充填ポートを介して導管の一端を挿入し、該導管の一端を前記貯蔵容器の底部から前記距離Ｄの四分の一の距離よりも短い距離の位置に配置する導管挿入工程と、（ｃ）前記導管を介して予め定められた量の液体燃料を前記貯蔵容器に注入する液体燃料注入工程と、（ｄ）前記貯蔵容器内に挿入された導管の前記一端よりも上方にまで液体燃料のレベルが上昇した後であって且つ前記予め定められた量の注入が完了する前に前記貯蔵容器から前記導管を引き込む導管引込み工程と、（ｅ）前記予め定められた量の液体燃料が前記貯蔵容器に加えられた後に前記貯蔵容器内に挿入されている導管の前記一端を前記液体燃料のレベルよりも下側から取り出す導管取出し工程と、（ｆ）前記充填ポートをシールする充填ポートシール工程と、（ｇ）液体燃料を収容し且つシールされた前記貯蔵容器をインフレータハウジング内に組み付ける貯蔵容器組付け工程とを具備するインフレータ組立方法。
【請求項２】
前記充填ポートシール工程が前記充填ポート内にストッパを挿入する工程を具備する請求項１に記載のインフレータ組立方法。
【請求項３】
前記貯蔵容器が前記充填ポート周りに延在する筒状の首状構造を具備し、前記充填ポートシール工程が該首状構造に蓋をかしめ止めする工程を具備する請求項１に記載のインフレータ組立方法。
【請求項４】
前記貯蔵容器組付け工程（ｇ）が該貯蔵容器組付け工程に先行する工程（ａ）〜（ｆ）が実行される位置から離れた位置において実行される請求項１に記載のインフレータ組立方法。
【請求項５】
各貯蔵容器に表示用しるしが設けられる請求項１に記載のインフレータ組立方法。
【請求項６】
少なくとも液体燃料注入工程（ｃ）、導管引込み工程（ｄ）および導管取出し工程（ｅ）の実行中に前記充填ポートに隣接した貯蔵容器の外側からベーパを除去するためにベーパ除去システムが機能する請求項１に記載のインフレータ組立方法。
【請求項７】
貯蔵容器提供工程（ａ）から充填ポートシール工程（ｆ）において複数の貯蔵容器が同時に処理される請求項１に記載のインフレータ組立方法。
【請求項８】
貯蔵容器を液体で満たす液体充填方法であって、（ａ）貯蔵容器に充填ポートを提供する充填ポート提供工程と、（ｂ）前記充填ポートを通して液体を前記貯蔵容器内に注入する液体注入工程と、（ｃ）棒状構造となるように端部と端部とを繋げて配設された複数のストッパであって、先頭のストッパによって前記棒状構造の第一端部を画成する複数のストッパを提供するストッパ提供工程と、（ｄ）前記先頭のストッパを前記充填ポート内に挿入するストッパ挿入工程と、（ｅ）該先頭のストッパを前記棒状構造の残りの部分から分離するストッパ分離工程と、（ｆ）該先頭のストッパを前記充填ポートに隣接した前記貯蔵容器の部分に連結するストッパ連結工程とを具備する液体充填方法。
【請求項９】
各ストッパに先端部と後端部とを提供する工程をさらに具備し、前記後端部が該ストッパの残りの部分の直径より大きい直径を有するリム部分を有する請求項８に記載の液体充填方法。
【請求項１０】
各ストッパに先端部と後端部とを提供する工程をさらに具備し、前記先端部が該先端部の外周面に配置された斜面を有する請求項８に記載の液体充填方法。
【請求項１１】
ストッパ提供工程（ｃ）とストッパ挿入工程（ｄ）との一部として、（ｃ１）前記充填ポート近傍で終端する管を通して前記棒状構造を供給する工程と、（ｃ２）前記先頭のストッパを前記充填ポート内に導くように前記管を制御する工程とをさらに具備する請求項８に記載の液体充填方法。
【請求項１２】
充填すべき第二の貯蔵容器を提供する工程と、前記充填ポート提供工程（ａ）から前記ストッパ連結工程（ｆ）までを繰り返す工程とをさらに具備し、前記ストッパ分離工程（ｅ）において前記挿入された先頭のストッパから分離されたストッパが、繰り返されたときのストッパ挿入工程（ｄ）中に前記第二の貯蔵容器の充填ポート内に挿入される先頭のストッパである請求項８に記載の液体充填方法。
【請求項１３】
前記棒状構造が初めにロールの形状で提供され、前記先頭のストッパが前記充填ポートに挿入される前に該ロールから前記棒状構造の第一端部が巻きだされる請求項８に記載の液体充填方法。
【請求項１４】
前記棒状構造となるように端部と端部とを繋げて配設された複数のストッパがプラスチック、金属またはセラミックから作製された単一のボディを具備する請求項８に記載の液体充填方法。
【請求項１５】
前記棒状構造が端部と端部とを繋げて配設された複数の独立したストッパを具備し、これらストッパが包囲管によりその位置に保持される請求項８に記載の液体充填方法。
【請求項１６】
エアバッグ受動拘束システムにおいて用いられるインフレータを組み立てるインフレータ組立方法であって、（ａ）液体燃料を提供する液体燃料提供工程と、（ｂ）充填ポートを有する貯蔵容器を提供する工程と、（ｃ）液体燃料を前記充填ポートを介して前記貯蔵容器内に注入する工程と、（ｄ）端部と端部とを繋げて配設された複数のストッパを具備し且つ先端部を有する棒状構造を提供する棒状構造提供工程と、（ｅ）前記棒状構造の先端部にあるストッパを前記充填ポートに挿入する工程と、（ｆ）該挿入されたストッパを前記棒状構造の残りの部分から分離する工程とを具備するインフレータ組立方法。
【請求項１７】
前記挿入されたストッパを前記充填ポートに隣接した前記貯蔵容器の部分に連結する工程をさらに具備する請求項１６に記載のインフレータ組立方法。
【請求項１８】
端部と端部とを繋げて配設された実質的に同一の複数のストッパからなる長型構造。
【請求項１９】
実質的に同一のストッパの各々が本体部分とリム部分とを具備し、該リム部分が前記本体部分の横断面積よりも大きい横断面積を有することを特徴とする請求項１８に記載の長型構造。
【請求項２０】
コイル状に形成するのに十分な可撓性を有する請求項１８に記載の長型構造。
【請求項２１】
単一のボディとして形成される請求項１８に記載の長型構造。
【請求項２２】
包囲管の穴内に端部と端部とを繋げて配設された複数の独立したストッパから形成される請求項１８に記載の長型構造。
【請求項２３】
実質的に同一のストッパの各々の一端の周面にテーパが付けられている請求項１８に記載の長型構造。
【請求項２４】
充填ポートを有する容器内に液体燃料を充填する液体燃料充填装置において、前記充填ポートに適合するのに適したハウジングと、交互に前記充填ポート内へ挿入されたり該充填ポートから引き込まれたりするのに適した充填ニードルとを有する充填ヘッドであって該充填ヘッド構造からガスを除去するための排気ポートを有する充填ヘッドと、前記充填ニードルに作動上の関係をもって接続された液体燃料源と、前記充填ニードルを前記充填ポート内に挿入したり該充填ポートから後退させたりするために前記充填ニードルに作動上の関係をもって接続された第一動作手段と、前記排気ポートに作動上の関係をもって接続された真空源と、前記充填ヘッド構造のハウジングの下側に前記容器の充填ポートを配置するように機能する第二動作手段とを具備する液体燃料充填装置。
【請求項２５】
前記充填ヘッド構造が前記充填ニードルを前記充填ポート内に案内する手段を有する請求項２４に記載の液体燃料充填装置。
【請求項２６】
前記液体燃料源が前記充填ニードルに供給される燃料量を測定する燃料量測定手段を有する請求項２４に記載の液体燃料充填装置。
【請求項２７】
前記第一動作手段が流体作動式シリンダを具備する請求項２４に記載の液体燃料充填装置。
【請求項２８】
前記第一動作手段が可逆モータを具備する請求項２４に記載の液体燃料充填装置。
【請求項２９】
前記第二動作手段がコンベアを具備する請求項２４に記載の液体燃料充填装置。
【請求項３０】
前記第二動作手段が前記ハウジングの下側の位置に前記容器を持ち上げるための手段を具備する請求項２４に記載の液体燃料充填装置。
【請求項３１】
前記ハウジングが前記充填ポート周りで前記容器に該ハウジングを一時的にシールする手段を具備する請求項２４に記載の液体燃料充填装置。
【請求項３２】
前記充填ポートをシールする手段をさらに具備する請求項２４に記載の液体燃料充填装置。
【請求項３３】
前記充填ポート内にストッパを挿入する構造をさらに具備する請求項２４に記載の液体燃料充填装置。